(57)【特許請求の範囲】
【請求項１】
地下に設けられた電力線または通信線のために地上に設けられる接続箱であって、
前記接続箱内の空洞の温度を検出し、温度信号を発生する第１の温度センサーと、
前記電力線または前記通信線の接続部の温度を検出し、温度信号を発生する第２の温度センサーと、
時刻信号を発生する時刻信号発生手段と、
前記時刻信号及び前記温度信号を記憶する記録手段と、
前記記録手段に記憶された温度信号情報を一定の時間毎に有線又は無線で送信する送信手段とから成り、
前記第１および第２の温度センサー、前記時刻信号発生手段、前記記録手段、及び前記送信手段が一体に固定された温度記録部を具えることを特徴とする接続箱。
【請求項２】
前記記録手段が前記温度信号を検出された時刻の前記時刻信号と対応して記憶することを特徴とする請求項１に記載の接続箱。
【請求項３】
地下に設けられた電力線または通信線のために地上に設けられる接続箱であって、
前記接続箱内の空洞の温度を検出し、温度信号を発生する第１の温度センサーと、
前記電力線または前記通信線の接続部の温度を検出し、温度信号を発生する第２の温度センサーと、
時刻信号を発生する時刻信号発生手段と、
前記時刻信号及び前記温度信号を記憶する記録手段と、
前記記録手段に記憶された温度信号情報を一定の時間毎に有線又は無線で送信する送信手段と、
前記温度センサー、前記時刻信号発生手段、前記記録手段、及び前記送信手段のための電源とから成り、
前記第１および第２の温度センサー、前記時刻信号発生手段、前記記録手段、及び前記送信手段が一体に固定された温度記録部を具えることを特徴とする接続箱。
【請求項４】
前記記録手段が前記温度信号を検出された時刻の前記時刻信号と対応して記憶することを特徴とする請求項３に記載の接続箱。
【発明の詳細な説明】
【０００１】
【発明の属する技術分野】
本発明は接続箱に関し、特に、温度等の異常の有無を遠隔の場所からでも簡易に検出して管理できる、地下電力線、情報ボックス等の管路の接続箱に関する。
【０００２】
【従来の技術】
近年、光ファイバー等を用いた高速度、高密度の情報伝送線路が普及するようになり、光ファイバー等を地下空間に敷設した情報ボックスと呼ばれる管路が実用化されている。情報ボックスの所々に通信線路の接続、分岐等のための接続箱が地上又は地下に設けられる。また、送電線、配電線等の地下化に伴い、接続、分岐、検査等のため、接続箱が地上に設けられている。これらの電力や通信のための接続箱は異常が起きたとき、内部に発熱による温度上昇が生じることがある。また、外気温度の上昇、日照、付近の火災等により温度が限界を超えて上昇すると内部の接続部分に異常を生じる恐れがある。
【０００３】
従来は、これらの内的あるいは外的要因による異常な温度上昇を検出又は監視するために接続箱に温度センサーを設け、随時あるいは定期的に巡回して温度を確認したり、温度センサーからの温度信号を有線あるいは無線で監視センターに送り、これを監視センターで継続的に監視したりしていた。
【０００４】
巡回による確認はもちろんのこと、温度センサーからの温度信号を継続的に監視することは人手を要し、不経済である。温度信号の継続的な監視に代わり、温度センサーからの温度信号を監視センターで適当な記憶手段に記録し、所要の時間間隔で温度信号の記憶内容を読み出し（再生）て異常の有無を確認する方法をとれば、監視のための人手は大幅に節減される。
【０００５】
【発明が解決しようとする課題】
しかし、温度センサーからの温度信号を監視センターの記憶手段に記録する方法によるときは、温度センサーと監視センターを結ぶ通信線路に多少なりとも障害が生じた場合に、記録内容はその障害により少なくとも部分的に欠損し、あるいは記憶された信号に判断を誤らせるようなエラーが生じることがある。このような障害の典型はノイズで、ノイズは電気機器、雷、電離層の変動等によって極めて頻繁に生じる。
【０００６】
従って、本発明の目的は、ノイズ等の温度信号の伝送に対する障害に影響されることなく温度を確実に記録して内部の温度の異常に基づいて管理し、正常に維持することができる情報ボックス等の接続箱を実現することにある。
【０００７】
【課題を解決するための手段】
本発明の接続箱は、地下に設けられた電力線または通信線のために地上に設けられる接続箱であって、前記接続箱内の空洞の温度を検出し、温度信号を発生する第１の温度センサーと、前記電力線または前記通信線の接続部の温度を検出し、温度信号を発生する第２の温度センサーと、時刻信号を発生する時刻信号発生手段と、前記時刻信号及び前記温度信号を記憶する記録手段と、前記記録手段に記憶された温度信号情報を一定の時間毎に有線又は無線で送信する送信手段とから成り、前記第１および第２の温度センサー、前記時刻信号発生手段、前記記録手段、及び前記送信手段が一体に固定された温度記録部を具える。また、本発明の接続箱は、温度記録部がさらに温度センサー、時刻信号発生手段、記録手段、及び送信手段のための電源を具えることが好ましい。電源は単一でなくともよく、温度センサー、時刻信号発生手段、記録手段、及び送信手段のいずれか１以上のための電源を別個に有してもよい。
【０００８】
本発明の接続箱は、地下空間に設けられた情報ボックスに敷設された光ファイバーを接続（分岐を含む。以下同様）する接続箱として特に有用である。
【０００９】
本発明の接続箱によると、情報ボックス等の接続箱の内部に温度記録部を具え、この温度記録部に温度と時刻の信号を記憶する記録手段を有するので、接続箱の内部の温度を信号の伝送に対するノイズ等の障害に影響されることなく確実に記録しておくことができ、管理センター等から遠隔した接続箱を温度の異常に基づいて管理して、正常に維持することができる。
【００１０】
【発明の実施の形態】
以下、本発明の実施の形態を図面に基づいて詳細に説明する。第１図は、典型的な情報ボックスの断面を示す。情報ボックス１は、その内部の空洞１ａに民間光ファイバー２と、道路管理用光ファイバー３を有し、空洞１ａは蓋１ｂで覆われている。
【００１１】
第２図は、温度記録部が装着された本発明による情報ボックス接続箱を示す。接続箱４の内部には、光ファイバー２Ａと光ファイバー２Ｂの接続部５と、温度記録装置６が設けられている。
【００１２】
第３図は、温度記録装置６を示し、ステンレスからなるボタン型の金属ケースの上部に設けられるデータ入出力端子６Ａと、金属ケースの側面部に設けられる接地端子６Ｂと、底部に設けられるつば部６Ｃを有して構成されており、金属ケースの内部に電源としての電池、温度測定および外部との通信を行うための半導体チップ、および回路基板を電気的に接続して収容している。また、金属ケースの内部は、収容された回路部品の短絡防止および水密化を図るために封止樹脂を充填することで樹脂モールドされている。この温度記録装置６は、ねじ、接着剤、テープ等の固定部材で情報ボックス１内に固定される。
【００１３】
第４図は、温度記録装置の温度記録部の構成を示すブロック図である。温度記録部８は、温度検知部１１、中央演算装置（ＣＰＵ）１２、ＣＰＵ１２に時刻信号を供給する時計回路１３、測定温度、測定時刻、接続箱の識別記号等のデータを記憶するメモリ１４、電源１５、送受信装置１６を具える。温度検知部１１は温度センサーと、制御回路、メモリ、入出力回路等から成る。温度センサは、ＰＮ接合型ダイオードを使用し、その順方向電圧が温度依存性を有することに基づいて基準電圧と比較することにより温度を検出する。
【００１４】
第５図は、温度検知部の構成を示すブロック図である。温度検知部１１は、温度センサー２１、メモリ２２、制御回路２３、入出力回路２４、ＣＲＣ生成回路２５、電源監視回路２６、整流器２７、コンデンサー２８で構成されている。温度センサー２１は、例えば、−５５℃から１２５℃までの範囲で０．５℃ステップで、デジタル温度信号を発生する。入出力回路２４はＣＰＵ１２と、信号線ＤＱを介して接続され、データの入出力を行なう。制御回路２３は、ＣＰＵ１２から入出力回路２４を経て入力される指令に応じて、温度等のデータの伝送を制御する。電源監視回路２６は、電源線ＶDDを介して電源１５から供給される電力の状態を検知する。ＣＲＣ生成回路２５は、データのエラーをチェックするためのＣＲＣコードを生成し、データ伝送時にメモリ２２に出力する。
【００１５】
第６図は、温度検知部のメモリの構成を示すブロック図である。メモリ２２は、スクラッチパッドメモリ２２ＡとＥ2ＲＯＭ２２Ｂとから成り、スクラッチパッドメモリ２２Ａは８バイトのＲＡＭで、各バイトは温度下位桁データ、温度上位桁データ、高温閾値、低温閾値、環境設定データの順に用いられ、３バイトは予備である。高温閾値、低温閾値は温度警報のための温度の上限および下限を決定するものであり、環境設定データは、測定温度の分解能、最大温度変換時間を決定するものである。Ｅ2ＲＯＭ２２Ｂは高温閾値、低温閾値、環境設定それぞれのためのレジスタを有し、スクラッチパッドメモリ２２Ａに対し高温閾値、低温閾値、環境設定データを入力する。
【００１６】
温度センサー２１からの温度信号は制御回路２３の制御の下にスクラッチパッドメモリ２２Ａの温度下位桁および温度上位桁のバイトに記憶される。温度下位桁データおよび温度上位桁データは制御回路２３および入出力回路２４を経て信号線ＤＱに送り出される。温度のデータが高温閾値を超え又は低温閾値を下回るときには、警報信号が制御回路２３から入出力回路２４を経て信号線ＤＱに送り出される。データ伝送時には、ＣＲＣ生成回路２５から供給されるＣＲＣコードにより、データのエラーがチェックされる。信号線ＤＱに送り出された温度記録データは、対応する時刻データと結合され、温度経過データとして、必要に応じて（例えば、メモリ１４に記憶されたプログラムにより一定の時間毎に、あるいは管理センターからの指令により）送受信装置１６から電波により、図示しない管理センターに送信される。警報信号も送受信装置１６から管理センターに送信される。管理センターへの送信は、光信号により光ファイバーを介して行なってもよい。
【００１７】
管理センターで受信した温度経過データは画像ディスプレイ、記録紙等に、数値表、グラフ等として表示され、情報ボックスの接続箱の熱的状態が正常か異常かが判断される。また、警報信号により異常の対策に着手することができる。接続箱から管理センターへの送信の際にノイズ等の障害があったときは、障害がなくなってから再度送信を指示する信号を管理センターから接続箱の送受信装置へ送って、再度温度経過データを得ることができる。
【００１８】
上記した実施の形態では、情報ボックス１の内壁部に温度記録装置６を固定して温度の測定を行なう構成を説明したが、例えば、接続部５に固定部材によって温度記録装置６を固定して、接続部５の温度を直接測定するようにしてもよい。また、情報ボックス１内に２つの温度記録装置６を設けて、空洞１ａの温度と接続部５の温度をそれぞれ測定するようにしてもよい。このことによって情報ボックス１内の温度の異常を精度よく把握することが可能になり、通信線路を安定して運用することができる。
【００１９】
【発明の効果】
以上説明した通り、本発明の接続箱によると、情報ボックス等の接続箱の内部に温度記録部を具え、この温度記録部に温度と時刻の信号を記憶する記録手段を有するので、接続箱の内部の温度を信号の伝送に対するノイズ等の障害に影響されることなく確実に記録しておくことができ、管理センター等から遠隔した接続箱を温度の異常に基づいて管理して、正常に維持することができる。
【００２０】
以上のように、本発明にかかる接続箱によると、地下電力線や光ファイバー等を敷設した情報ボックス等の接続箱として温度の異常を管理するのに適している。
【図面の簡単な説明】
【図１】  本発明の実施の形態に係る典型的な情報ボックスの説明図である。
【図２】  本発明の実施の形態に係る情報ボックス接続箱を示す説明図である。
【図３】  本発明による情報ボックス接続箱の温度記録装置を示す説明図である。
【図４】  第３図の温度記録装置の温度記録部の構成を示すブロック図である。
【図５】  第４図の温度記録部の温度検知部の構成を示すブロック図である。
【図６】  第５図の温度検知部のメモリの構成を示すブロック図である。
【符号の説明】
１    情報ボックス
１ａ    空洞
１ｂ    蓋
２    光ファイバー
２Ａ    光ファイバー
２Ｂ    光ファイバー
３    道路管理用光ファイバー
４    接続箱
５    接続部
６    温度記録装置
６Ａ    データ入出力端子
６Ｂ    接地端子
６Ｃ    つば部
８    温度記録部
１１    温度検知部
１２    中央演算装置（ＣＰＵ）
１３    時計回路
１４    メモリ
１５    電源
１６    送受信装置
２１    温度センサー
２２    メモリ
２２Ａ  スクラッチパッドメモリ
２２Ｂ  Ｅ2ＲＯＭ
２３    制御回路
２４    入出力回路
２５    ＣＲＣ生成回路
２６    電源監視回路
２７    整流器
２８    コンデンサー
【図１】
0003837414.tif 000002
【図２】
0003837414.tif 000003
【図３】
0003837414.tif 000004
【図４】
0003837414.tif 000005
【図５】
0003837414.tif 000006
【図６】
0003837414.tif 000007